(57)【特許請求の範囲】
【請求項１】
（ａ）  吊桿（１１）から吊り下ろされるカーテン地（１２）の垂直方向に所要の間隔をおいて取り付けられた複数個の案内環（１３）の上下に貫通した挿通口（１４）に挿通したコード（１５）の下端をカーテン地（１２）に接合し、そのコード（１５）の上端を引いてカーテン地の下縁部（１６）を昇降たくし上げて上下に開閉して使用されるローマンシェードの案内環（１３）において、
（ｂ）  案内環の挿通口（１４）の上下何れか一方の開口（１７）の外周縁（１８）が上下他方の開口（２０）の内周縁（２１）よりも小さく、
（ｃ）  その大きい上下他方の開口（２０）の内周縁（２１）に囲まれる開口内部が、それよりも小さい上下一方の開口（１７）の外周縁（１８）に囲まれる開口外部（１９）を嵌め込むことが出来る窪み（２２）を構成しているローマンシェード用コード案内環。
【請求項２】
（ｄ）  案内環（１３）が筒状を成し、
（ｅ）  挿通口（１４）の上下の開口（１７）と開口（２０）の間の長さ（Ｌ）が、その上下一方の開口（１７）の外周縁（１８）が上下他方の開口（２０）の内周縁（２１）よりも小さい当該上下一方の開口内部（１７）の内径（ｄ）の２倍以上であり、
（ｆ）  挿通口（１４）の上下の開口（１７）と開口（２０）の間の外周面（２３）に、カーテン地に係止される係止部（２４）が突設されており、その係止部（２４）に上下に貫通した係合口（２５）が設けられている前掲請求項１に記載のローマンシェード用コード案内環。
【請求項３】
（ｇ）  係合口（２５）の周縁の一部が切り欠かれた切欠溝（２６）になっており、
（ｈ）  その切欠溝（２６）において向き合う一方の溝縁が尖端形を成し、
（ｉ）  その尖端形の溝縁を鈎先（２７）とするＣ字形ないしＪ字形鈎を係止部（２４）が構成している前掲請求項２に記載のローマンシェード用コード案内環。
【請求項４】
（ｊ）  案内環の外周面（２３）に、挿通口（１４）の上下一方の開口（１７）から上下他方の開口（２０）へと切り欠かれて続くコード押込溝（２８）が設けられており、
（ｋ）  そのコード押込溝（２８）に押し込んで挿通口（１４）へとコード（１５）を挿通することが出来る前掲請求項１と請求項２と請求項３の何れかに記載のローマンシェード用コード案内環。
【請求項５】
（ｌ）  上下何れか一方の開口外部（１９）を嵌め込むことが出来る上下他方の開口内部の窪み（２２）が、挿通口（１４）の奥に進むにつれて内径（ｅ）が小さくなるラッパ形ないし擂鉢形の錐形断面形状を成している前掲請求項１と請求項２と請求項３と請求項４の何れかに記載のローマンシェード用コード案内環。
【請求項６】
（ｍ）  上下何れか一方の開口（２０）の窪み（２２）に嵌め込むことが出来る上下他方の開口（１７）の開口外部（１９）が、その先端の開口（１７）に近づくにつれて外径（Ｄ）が小さくなる尖端形の等脚台形断面形状を成している前掲請求項１と請求項２と請求項３と請求項４と請求項５の何れかに記載のローマンシェード用コード案内環。
【請求項７】
（ｎ）  係止部（２４）が、挿通口（１４）の長さ方向において、外周縁（１８）の小さい上下一方の開口（１７）の開口外部（１９）を嵌め込むことが出来る窪み（２２）の形成されている上下他方の開口側（２０）に偏って外周面（２３）に突設されており、
（ｏ）  その係止部（２４）が偏って突設されており、窪み（２２）が形成されている開口側（２０）と、その窪みに嵌め込むことが出来る外周縁（１８）の小さい開口外部（１９）の形成されている開口側（１７）とに案内環（１３）が上下に２分割されており、
（ｐ）  その窪み（２２）に嵌め込むことが出来る外周縁（１８）の小さい開口外部（１９）の形成されている開口側（１７）の分割された案内環（１３ｂ）が、その挿通口（１４ｂ）の内径（ｄ）と外径（Ｄ）が挿通口（１４）の長さ方向において一定になっており、その挿通口（１４ｂ）の長さ（Ｘ）が内径（ｄ）の２倍以上の円筒（１３ｂ）を成しており、
（ｑ）  係止部（２４）が偏って突設されており、窪み（２２）が形成されている開口側（２０）の分割された案内環（１３ａ）が、その挿通口（１４ａ）の長さ（Ｙ）が窪み（２２）の最大内径（ｅ）よりも短いリング（１３ａ）を成しており、その挿通口（１４ａ）の上下両端の開口（２０ａ・２０ｂ）がそれぞれ窪み（２２ａ・２２ｂ）を形成している前掲請求項２と請求項３と請求項４の何れかに記載のローマンシェード用コード案内環。
【請求項８】
（ｒ）  リング（１３ａ）の挿通口（１４ａ）の上下両端の開口（２０ａ・２０ｂ）に形成されている窪み（２２ａ・２２ｂ）が、その挿通口（１４ａ）の奥に進むにつれて内径（ｅ）が小さくなるラッパ形ないし擂鉢形の錐形断面形状を成している前掲請求項７に記載のローマンシェード用コード案内環。
【請求項９】
（ｓ）  リング（１３ａ）の上下両端の窪み（２２ａ・２２ｂ）に嵌め込むことが出来る円筒（１３ｂ）の上下両端の開口外部（１９・１９）が、その円筒（１３ｂ）の上下両先端に近づくにつれて外径（Ｄ）が小さくなる尖端形の等脚台形断面形状を成している前掲前掲請求項７と請求項８の何れかに記載のローマンシェード用コード案内環。
【発明の詳細な説明】
【技術分野】
【０００１】
本発明は、吊桿（トップバー）１１から吊り下ろされるカーテン地１２の垂直方向に所要の間隔をおいて取り付けられた複数個の案内環１３の上下に貫通した挿通口１４に挿通したコード１５の下端をカーテン地１２に接合し、そのコード１５の上端を引いてカーテン地の下縁部１６を昇降たくし上げて上下に開閉して使用されるローマンシェードの案内環１３（図１）に関するものである。
【背景技術】
【０００２】
ローマンシェードの最下段の案内環１３を挿通して突き出たコード１５の下端には錘（おもり）４０が結び付けられており、コード１５を引っ張り上げるときは錘４０が最下段の案内環１３に引っ掛かってカーテン地の下縁部１６が引き上げられるようになっており、下縁部１６は、そこに取り付けられた最下段の案内環１３と錘４０を介してコード１５の下端に接合されている。コード１５の下端は、カーテン地の下縁部１６に直接縫い付けることが出来、又、カーテン地の下縁部１６に縫い付けた錘４０にコード１５を結び付け、錘４０を介してカーテン地の下縁部１６に接合することも出来る。
【０００３】
カーテン地の下縁には重桿（ウエイトバー）４１が取り付けられることもある。
案内環１３は、カーテン地１２に直接縫い付けることが出来る。
【０００４】
案内環１３をカーテン地１２に取り付け易くするために、案内環の外周面にカーテン地に係止される係止部を突設し、その係止部に上下に貫通した係合口を設け、その係合口の周縁の一部を切り欠いて切欠溝を付け、その切欠溝において向き合う一方の溝縁を尖端形にし、その尖端形の溝縁を鈎先を引っ掛けてカーテン地１２に取り付けるように構成した案内環は公知である（例えば、特許文献１参照）。
【０００５】
この鈎付き案内環は、カーテン地の垂直（上下丈）方向に縫合した輪奈付きテープの輪奈に、その鈎先を引っ掛けてカーテン地に取り付けることも出来る。
その鈎先がなく、ただ係合口だけを係止部に設けた案内環では、その係合口に縫糸を通してカーテン地やテープに縫い付ける方法が取られる。
【０００６】
案内環１３としては、その外周面に挿通口１４の上下両端を成す一方の開口から他方の開口へと切り欠かれて続くコード押込溝を設け、そのコード押込溝にコード１５を押し込んで挿通口１４に挿通することが出来るようにした案内環も知られている（例えば、特許文献１参照）。
【０００７】
ローマンシェードでは、コード１５を引いて下縁部１６をたくし上げると、案内環１３を境にカーテン地１２が折り畳まれ、案内環１３に沿って水平方向に続く横襞３７が各案内環毎に上下数段発生する。その上下各段の横襞３７と横襞３７の間隔Ｓを一定に揃えるために、上下の案内環１３と案内環１３の各間にスペーサー３６を装着することは公知である（例えば、特許文献２参照）。
【０００８】
そのスペーサー３６は、パイプを一定寸法に切断してつくられ、コード１５を１個の案内環１３に挿通させる度に、そのコード１５を１個のスペーサー３６の内部空洞に挿通し、案内環１３の数に応じた複数個のスペーサー３６をコード１５によって数珠繋ぎにしてカーテン地１２に装着される。
【０００９】
【特許文献１】特開２００７−１３５９０３号公報
【特許文献２】特開２００４−１２１４７６号公報
【発明の開示】
【発明が解決しようとする課題】
【００１０】
コード１５の太さは概して２ｍｍ前後であり、案内環１３の挿通口１４の内径とスペーサー２６の内部空洞の内径は、それぞれコード１５の太さの２〜３倍、即ち、概して４〜６ｍｍになっており、昇降操作時にコード１５が案内環１３やスペーサー３６に強く擦られて摩耗することがないように配慮されている。
【００１１】
このため、昇降操作時にカーテン地が前後左右に振れ動くと、その左右に振れ動いたまま案内環１３が引き上げられることになる。そうすると、垂直方向に所要の間隔をおいて取り付けられる複数個の案内環１３・13・13………のそれぞれが、カーテン地１２の側縁３５から所定の距離に取り付けられるので、昇降操作時にカーテン地の側縁３５も左右に振れ動いた状態で引き上げられることになる。
【００１２】
その結果、コード１５の上端を引いてカーテン地の下縁部１６を引き上げ、垂直方向に取り付けられている複数個の案内環１３・１３・１３………が寄せ集められ、その寄せ集められて上下隣り合う案内環１３と案内環１３の間でスペーサー３６が強く挟まれて、カーテン地１２が完全にたくし上げられた状態では（図１）、垂直方向に取り付けられている複数個の各案内環１３毎に生じる各横襞３７がカーテン地の側縁３５に交わる複数条の横襞３７・３７・３７………の側端３４・３４・３４………が、垂直線上に真っ直ぐ揃わず、水平方向にズレて不揃いとなり、そのたくし上げられた状態において、看者に乱雑感を与え、ローマンシェードの美観が損なわれる。
【００１３】
そして、上下隣り合う横襞３７と横襞３７の間では、カーテン地１２がＵ字状に折り返されて垂れ下がった横襞（図示せず）がローマンシェードの使用面であるカーテン地の表側（図１の用紙の裏側）に発生するが、その表側の横襞の側端も、図１に図示する裏側の横襞３７の側端３４と同様に、垂直線上に真っ直ぐ揃わず、水平方向にズレて不揃いとなる。
【００１４】
その結果、特に、上下の案内環と案内環との間隔と同じ間隔で垂直方向に同じ図形が繰り返し描出されたカーテン地や、縦縞模様の描出されたカーテン地では、その描出された図形や縦縞が、Ｕ字状に垂れ下がった各横襞毎に水平方向（左右）にズレて垂直線上に真っ直ぐには揃わず、又、そのＵ字状に垂れ下がった各横襞に至るコード１５からの距離も案内環１３やスペーサー３６の位置ズレによって変化し、そのローマンシェードの厚み（前後）方向における位置ズレが生じて各Ｕ字状横襞も垂直面上に綺麗に揃わず、そのＵ字状横襞に現れる図形や縦縞のズレが看者に乱雑感を与え、ローマンシェードの使用面での美観が大きく損なわれる。
【００１５】
そこで本発明は、コード１５を引いてたくし上げた状態において、上下隣り合う横襞３７・３７・３７………の側端３４・３４・３４………が垂直線上に真っ直ぐに揃うローマンシェードを得ることを目的とする。
【課題を解決するための手段】
【００１６】
本発明は、（ａ）  吊桿１１から吊り下ろされるカーテン地１２の垂直方向に所要の間隔をおいて取り付けられた複数個の案内環１３の上下に貫通した挿通口１４に挿通したコード１５の下端をカーテン地１２に接合し、そのコード１５の上端を引いてカーテン地の下縁部１６を昇降たくし上げて上下に開閉して使用されるローマンシェードの案内環１３において、（ｂ）  案内環の挿通口１４の上下何れか一方の開口１７の外周縁１８が上下他方の開口２０の内周縁２１よりも小さく、（ｃ）  その大きい上下他方の開口２０の内周縁２１に囲まれる開口内部が、それよりも小さい上下一方の開口１７の外周縁１８に囲まれる開口外部１９を嵌め込むことが出来る窪み２２を構成していることを第１の特徴とする（図３）。
【００１７】
本発明に係る案内環の第２の特徴は、上記第１の特徴に加えて、（ｄ）  案内環１３が筒状を成し、（ｅ）  挿通口１４の上下の開口１７と開口２０の間の長さＬが、その上下一方の開口１７の外周縁１８が上下他方の開口２０の内周縁２１よりも小さい当該上下一方の開口内部（１７）の内径ｄの２倍以上であり、（ｆ）  挿通口１４の上下の開口１７と開口２０の間の外周面２３にカーテン地に係止される係止部２４が突設されており、その係止部２４に上下に貫通した係合口２５が設けられている点にある（図３・図４）。
【００１８】
本発明に係る案内環の第３の特徴は、上記第第２の特徴に加えて、（ｇ）  係合口２５の周縁の一部が切り欠かれた切欠溝２６になっており、（ｈ）  その切欠溝２６において向き合う一方の溝縁が尖端形を成し、（ｉ）  その尖端形の溝縁を鈎先２７とするＣ字形ないしＪ字形鈎を係止部２４が構成している点にある（図５、図６）。
【００１９】
本発明に係る案内環の第４の特徴は、上記第１、第２および第３の何れかの特徴に加えて、（ｊ）  案内環の外周面２３に、挿通口１４の上下一方の開口１７から上下他方の開口２０へと切り欠かれて続くコード押込溝２８が設けられており、（ｋ）  そのコード押込溝２８に押し込んで挿通口１４へとコード１５を挿通することが出来る点にある（図５、図６）。
【００２０】
本発明に係る案内環の第５の特徴は、上記第１、第２、第３および第４の何れかの特徴に加えて、（ｌ）  上下何れか一方の開口外部１９を嵌め込むことが出来る上下他方の開口内部の窪み２２が、挿通口１４の奥に進むにつれて内径ｅが小さくなるラッパ形ないし擂鉢形の錐形断面形状を成している点にある（図８）。
【００２１】
本発明に係る案内環の第６の特徴は、上記第１、第２、第３、第４および第５の何れかの特徴に加えて、（ｍ）  上下何れか一方の開口２０の窪み２２に嵌め込むことが出来る上下他方の開口１７の開口外部１９が、その先端の開口１７に近づくにつれて外径Ｄが小さくなる尖端形の等脚台形断面形状を成している点にある。
【００２２】
本発明に係る案内環の第７の特徴は、上記第２、第３および第４の何れかの特徴に加えて、（ｎ）  係止部２４が、挿通口１４の長さ方向において、外周縁１８の小さい上下一方の開口１７の開口外部１９を嵌め込むことが出来る窪み２２の形成されている上下他方の開口側（２０）に偏って外周面２３に突設されており、（ｏ）  その係止部２４が偏って突設されており、窪み２２が形成されている開口側（２０）と、その窪み２２に嵌め込むことが出来る外周縁１８の小さい開口外部１９の形成されている開口側（１７）とに、案内環１３が上下に２分割されており、（ｐ）  その窪み２２に嵌め込むことが出来る外周縁１８の小さい開口外部１９の形成されている開口側（１７）の分割された案内環（１３ｂ）が、その挿通口１４ｂの内径ｄと外径Ｄが挿通口１４の長さ方向において一定になっており、その挿通口１４ｂの長さＸが内径ｄの２倍以上の円筒１３ｂを成しており、（ｑ）  係止部２４が偏って突設されており、窪み２２が形成されている開口側（２０）の分割された案内環（１３ａ）が、その挿通口１４ａの長さＹが窪み２２の最大内径ｅよりも短いリング１３ａを成しており、その挿通口１４ａの上下両端の開口２０ａ・２０ｂがそれぞれ窪み２２ａ・２２ｂを形成している点にある（図４）。
【００２３】
本発明に係る案内環の第８の特徴は、上記第７の特徴に加えて、（ｒ）  リング１３ａの挿通口１４ａの上下両端の開口２０ａ・２０ｂに形成されている窪み２２ａ・２２ｂが、その挿通口１４ａの奥に進むにつれて内径ｅが小さくなるラッパ形ないし擂鉢形の錐形断面形状を成している点にある（図７）。
【００２４】
本発明に係る案内環の第９の特徴は、上記第７と第８の何れかの特徴に加えて、（ｓ）  リング１３ａの上下両端の窪み２２ａ・２２ｂに嵌め込むことが出来る円筒１３ｂの上下両端の開口外部（１９・１９）が、その円筒１３ｂの上下両先端に近づくにつれて外径Ｄが小さくなる尖端形の等脚台形断面形状を成している点にある。
【発明の効果】
【００２５】
本発明によると、案内環の挿通口１４の上下何れか一方の開口１７の外周縁１８が上下他方の開口２０の内周縁２１よりも小さく、その大きい上下他方の開口２０の内周縁２１に囲まれる開口内部が、それよりも小さい上下一方の開口１７の外周縁１８に囲まれる開口外部１９を嵌め込むことが出来る窪み２２を構成しているので、上下隣り合う案内環１３と案内環１３が強く密着する程度にコード１５を引いてカーテン地１２をたくし上げた状態（図２）では、上下隣り合う一方の案内環１３の外周縁１８の小さい開口外部１９が、上下隣り合う他方の案内環１３の窪み２２に嵌合する。
そのようにして、垂直方向に取り付けられた複数個の全ての案内環１３・１３・１３………が、それらの上下隣り合う外周縁１８の小さい開口外部１９と窪み２２が嵌合し、桿状に接続されて垂直線上に真っ直ぐに揃い、その状態では、複数個の各案内環１３・13・13………からカーテン地１２の側縁３５・３５・３５………までの距離が一定なので、複数個の各案内環１３毎に生じる各横襞３７の側端３４・３４・３４………が垂直線上に真っ直ぐ揃い、看者に整然とした印象を与える。
【００２６】
本発明によると、挿通口１４の上下の開口１７と開口２０の間の長さＬが、その上下一方の開口１７の外周縁１８が上下他方の開口２０の内周縁２１よりも小さい当該上下一方の開口内部（１７）の内径ｄの２倍以上になっているので、上下隣り合う案内環１３と案内環１３が強く密着する程度にコード１５を引いてカーテン地１２をたくし上げた状態（図２）では、案内環１３は、その複数個の各案内環１３毎に生じる各横襞３７の間隔Ｓを一定に揃えるスペーサー（３６）としての機能を果たすことにもなり、その各横襞３７の間隔Ｓを一定に揃えてたくし上げることの出来るローマンシェードが得られる。
【００２７】
本発明によると、係合口２５の周縁の一部が切り欠かれた切欠溝２６において向き合う一方の溝縁が尖端形を成しており、垂直方向に同じ図形が一定間隔で繰り返し描出されたカーテン地では、その図形のレピートに合わせて鈎先２７をカーテン地に引っ掛け、或いは、輪奈付きテープをカーテン地に縫合し、その図形のレピートに合わせて鈎先２７を輪奈付きテープの輪奈に引っ掛けて案内環１３をカーテン地に取り付けることが出来、各横襞３７・３７・３７………毎に同じ図形が現われ、その各横襞３７・３７・３７………毎に現われる図形が垂直線上に真っ直ぐ揃い、看者に整然とした印象を与えるローマンシェードが得られる。
【００２８】
本発明では、挿通口１４の上下一方の開口１７から上下他方の開口２０へと切り欠かれて続くコード押込溝２８を案内環の外周面２３に設けたので、そのコード押込溝２８を通してコード１５を挿通口１４に取り外し自在に挿通することが出来、カーテン地の取替や洗濯時にコード１５が取り外し易く、カーテン地１２に合わせてコード１５までも取替・洗濯せずに済む。
【００２９】
本発明では、開口内部の窪み２２を漸次内径ｅが小さくなる錐形断面形状（図８）に構成したので、上下隣り合う案内環１３と案内環１３が強く密着する程度にコード１５を引いてカーテン地１２をたくし上げた状態（図２）では、上下隣り合う一方の案内環１３の外周縁１８の小さい開口外部１９が、その錐形断面の斜面２９に沿って滑り込むように上下隣り合う他方の案内環１３の窪み２２に嵌合し、複数個の各案内環１３毎に生じる各横襞３７の側端３４・３４・３４………が垂直線上に確実に真っ直ぐに揃い、又、各案内環１３・１３・１３………毎にローマンシェードの使用面（図２の用紙の裏側）に垂れ下がって生じる各Ｕ字状横襞に至るコード１５からの距離も一定に揃い、従って、その各Ｕ字状横襞も垂直面上に綺麗に揃い、そのたくし上げられたローマンシェードがスッキリした清楚な美観を呈するようになる。
【００３０】
それとは逆に、上下一方の開口２０の窪み２２に嵌め込む上下他方の開口１７の開口外部１９を、その先端の開口１７に近づくにつれて外径Ｄが小さくなる尖端形の等脚台形断面形状にする場合、つまり、外周縁１８の小さい開口１７の外周面である開口外部１９にテーパーを付ける場合も、窪み２２の周縁に突き当たることなく開口１７の開口外部１９が窪み２２に嵌まり込むので、複数個の各案内環１３毎に生じる各横襞３７の側端３４・３４・３４………が垂直線上に真っ直ぐに揃い、又、各案内環１３・１３・１３………毎にローマンシェードの使用面（図２の用紙の裏側）に生じる各Ｕ字状横襞も垂直面上に綺麗に揃うようになる。
【００３１】
本発明では、係止部２４が偏って突設され窪み２２が形成されている開口側（２０）と、その窪み２２に嵌め込むことが出来る外周縁１８の小さい開口外部１９の形成されている開口側（１７）とに案内環１３を上下に２分割し、窪み２２に嵌め込むことが出来る外周縁１８の小さい開口外部１９の形成されている開口側（１７）の分割された案内環（１３ｂ）の長さＸを挿通口１４ｂの内径ｄの２倍以上の円筒１３ｂにしたので、その円筒１３ｂを取り代えて上下の横襞間３７・３７の間隔Ｓを調整することが出来、又、他方の係止部２４が偏って突設されていて窪み２２が形成されている開口側（２０）のリング１３ａだけを在来の案内環として既存のローマンシェードに適用することも出来る（図４）。
【００３２】
そのように、案内環１３をリング１３ａと円筒１３ｂに２分割すると、在来のスペーサー３６（図１）と同様に、パイプを一定寸法に切断して円筒１３ｂを調製することが出来るので、係止部２４が突き出ており、挿通口１４の内径ｄが窪み２２で広くなった形状が複雑なリング１３ａだけをプラスチックによって射出成形するだけで済み、そのプラスチック射出成形の金型代が安くつき、案内環１３のコストダウンを図ることが出来る点でも有利である。
【００３３】
そして、挿通口１４ａの上下両端の開口２０ａ・２０ｂがそれぞれ窪み２２ａ・２２ｂの形成されている開口側（２０）のリング１３ａと、その窪み２２に開口外部１９を嵌め込むことが出来る開口側（１７）の円筒１３ｂに案内環１３を２分割する場合でも、その上下両端の窪み２２ａ・２２ｂを、挿通口１４ａの奥に進むにつれて内径ｅが漸次小さくなるラッパ乃至擂鉢形の錐形断面形状にすると、上下隣り合うリング１３ａとリング１３ａの間で円筒１３ｂが強く挟まれる程度にコード１５を引いてカーテン地１２をたくし上げた状態（図２）では、分割された円筒１３ｂが、その錐形断面の斜面２９に沿って滑り込むように窪み２２ａ・２２ｂに嵌合し、複数個の各案内環毎に生じる各横襞３７の側端３４・３４・３４………を、垂直線上に真っ直ぐに確実に揃えることが出来る（図７）。
【００３４】
それとは逆に、リング１３ａの窪み２２ａ（２２ｂ）に嵌め込む円筒１３ｂの上下両端の開口外部（１９・１９）にテーパーを付け、その開口外部（１９・１９）を円筒１３ｂの上下両先端に近づくにつれて外径Ｄが小さくなる尖端形の等脚台形断面形状にする場合も、窪み２２ａ（２２ｂ）の周縁に突き当たることなく円筒１３ｂがリング１３ａの窪み２２ａ（２２ｂ）に嵌まり込むので、複数個の各案内環１３毎に生じる各横襞３７の側端３４・３４・３４………が垂直線上に真っ直ぐ揃う。
【００３５】
このように、本発明によると、コード１５を引いてたくし上げた状態において、上下隣り合う横襞３７・３７・３７………の側端３４・３４・３４………が垂直線上に真っ直ぐに揃い、特に、上下の案内環と案内環との間隔と同じ間隔で垂直方向に同じ図形が繰り返し描出されたカーテン地や、縦縞模様の描出されたカーテン地では、その描出された図形や縦縞が、Ｕ字状に垂れ下がった各横襞毎に水平方向（左右）にズレることなく、垂直線上に真っ直ぐ揃い、又、各案内環１３・１３・１３………毎にローマンシェードの使用面（図２の用紙の裏側）に生じる各Ｕ字状横襞も同一面上に綺麗に揃い、たくし上げられてスッキリした清楚な印象を与えるローマンシェードを得ることが出来る。
【発明を実施するための最良の形態】
【００３６】
図２は、本発明に係るローマンシェードの使用面の裏側を図示する。カーテン地１２は、その上縁を面ファスアーやフックを介して吊桿１１に着脱自在に接合して吊り下ろされる。吊桿１１の内部は吊桿の長さ方向に続く溝となっており、３９は、その溝にコード１５を導入する案内隙間であり、コード１５によって引き上げられる最上段の案内環１３は、その案内隙間３９の周りに突き当って止まる。吊桿１１の端部には、コード１５の静動を規制するストッパーが装着される。３６は、その端部のストッパーへとコード１５を導く案内ロールである。吊桿（トップバー）１１には、横引きカーテンを吊るすランナー走行溝の付いたチャンネル形カーテンレールを利用することが出来る。
【００３７】
案内環１３をリング１３ａと円筒１３ｂに分割して構成する場合を除き、係止部２４は、外周縁１８の小さい開口外部１９に偏った部位に突設しても（図６）、又、窪み２２のある開口２０に偏った部位に突設しても（図３・図８）、或いは又、上下の開口１７・２０の中間部位に突設してもよい（図５）。
【００３８】
コード押込溝２８は、挿通口１４の上下一方の開口１７から上下他方の開口２０へと外周面２３の円周方向に曲折して続くように形成することも出来る（図６）。
そのようにコード押込溝２８を曲折させると、押込溝２８とコード１５が一部分で交叉して完全には平行にならないので、押込溝２８の溝幅Ｔをコード１５の太さよりも広くしても、コード１５が押込溝２８から外れることがなく、又、コード１５を挿通口１４へと押し込み易くなるので好都合である。
【００３９】
窪み２２の断面を、挿通口１４の奥に進むにつれて内径ｅが漸次小さくなるラッパ形ないし擂鉢形の錐形断面形状にするのは、部分的であってもよい。即ち、挿通口１４の奥に進むにつれて内径ｅが漸次小さくなるラッパ形ないし擂鉢形の錐形断面形状となる斜面２９を、挿通口１４の軸芯３０を中心に放射状に窪み２２の内部周面に形成すれば十分である（図７）。従って、窪み２２は、それを囲む外周縁や内周縁２１が、開口２０の周囲に部分的に突き出た突起の頂端によって点状に描かれる形状にすることも出来る。
【００４０】
外周縁１８の小さい開口１７の開口外部１９が窪み２２の周縁に突き当たらないようにするためには、外周縁１８の小さい開口１７の外周面である開口外部１９にテーパーを付け、又、窪み２２の内周面にもテーパー（斜面２９）を付けて擂鉢形の錐形断面形状にすると共に、挿通口の内径ｄと外径Ｄとコード１５の太さ（外径）Ｚとの関係において、窪み２２の最大内径ｅを、ｅ≧Ｄ＋ｄ−Ｚに設定するとよい。
【図面の簡単な説明】
【００４１】
【図１】従来のローマンシェードの使用面の裏側の正面図である。
【図２】本発明に係るローマンシェードの使用面の裏側の正面図である。
【図３】本発明に係るローマンシェード用コード案内環の斜視図である。
【図４】本発明に係るローマンシェード用コード案内環の斜視図である。
【図５】本発明に係るローマンシェード用コード案内環の斜視図である。
【図６】本発明に係るローマンシェード用コード案内環の斜視図である。
【図７】本発明に係るローマンシェード用コード案内環の斜視図である。
【図８】本発明に係るローマンシェード用コード案内環の断面図である。
【符号の説明】
【００４２】
１１：吊桿
１２：カーテン地
１３：案内環
１３ａ：リング
１３ｂ：円筒
１４：挿通口
１５：コード
１６：カーテン地の下縁部
１７：開口
１８：外周縁
１９：開口外部
２０：開口
２１：内周縁
２２：窪み（開口内部）
２３：外周面
２４：係止部
２５：係合口
２６：切欠溝
２７：鈎先
２８：コード押込溝
２９：斜面
３０：軸芯
３４：側端
３５：側縁
３６：スペーサー
３７：横襞
３８：案内ロール
３９：案内隙間
４０：錘
４１：重桿
ｄ  ：開口の内径
ｅ  ：窪みの内径
Ｄ  ：開口の外径
Ｌ  ：案内環の挿通口の長さ
Ｓ  ：横襞間の間隔
Ｔ  ：コード押込溝の溝幅
Ｘ  ：円筒の挿通口の長さ
Ｙ  ：リングの挿通口の長さ
【図１】
0004873251.tif 000002
【図２】
0004873251.tif 000003
【図３】
0004873251.tif 000004
【図４】
0004873251.tif 000005
【図５】
0004873251.tif 000006
【図６】
0004873251.tif 000007
【図７】
0004873251.tif 000008
【図８】
0004873251.tif 000009